【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
整形外科医療装置において、
長手方向の孔と、上記孔に対して横断方向の細長い部材を受け入れるためのチャンネルと、下方の開口と、当該長手方向の孔に連通する溝とを有するレシーバ部材；
長手方向の軸線と、ヘッドとを有する骨アンカー部材であって、上記ヘッドが実質的に部分球状の部分及び少なくとも１つの平坦部分を有し、上記平坦部分が上記軸線に実質上平行であり、当該ヘッドの少なくとも一部が上記孔内に位置するような骨アンカー部材；
丸い下方表面と、一対の対向する実質上平坦な表面と、一対の対向する実質上円筒状の表面とを有し、上記下方表面が上記アンカー部材の上記ヘッドに隣接するように、上記孔内に配置されるようになったクラウン部材；及び
上記アンカー部材の少なくとも一部のまわりで上記溝内に少なくとも部分的に位置し、実質上楕円形の保持部材；
を有することを特徴とする装置。
【請求項２】
上記チャンネル内に少なくとも部分的に位置する細長い部材を更に有することを特徴とする請求項１に記載の装置。
【請求項３】
上記レシーバ部材に接続され、上記細長い部材に圧縮を加える圧縮部材を更に有することを特徴とする請求項２に記載の装置。
【請求項４】
上記アンカー部材が少なくとも２つの実質上平坦な部分を有し、同平坦な部分が上記軸線に実質上平行であることを特徴とする請求項１に記載の装置。
【請求項５】
上記平坦な部分が互いに実質上平行であることを特徴とする請求項４に記載の装置。  
【請求項６】
上記クラウン部材の上記下方表面が少なくとも１つの実質上平坦な表面を有し、当該クラウン部材の上記実質上平坦な表面が上記アンカー部材の上記実質上平坦な表面に隣接することを特徴とする請求項１に記載の装置。
【請求項７】
上記クラウン部材が上記実質上円筒状の側部の１つにおいて開口を有することを特徴とする請求項１に記載の装置。
【請求項８】
上記クラウン部材が上記実質上円筒状の他方の側部において第２の開口を有することを特徴とする請求項７に記載の装置。
【請求項９】
上記チャンネル内に少なくとも部分的に位置する細長い部材と；
上記細長い部材の一部に接続され、上記レシーバ部材から離間する整形外科移植片と；
を更に有することを特徴とする請求項１に記載の装置。
【請求項１０】
上記整形外科移植片がフック、スクリュー、コネクタ、プレート及びクランプからなる組からのものであることを特徴とする請求項９に記載の装置。
【請求項１１】
上記レシーバ部材のチャンネルが軸線を有し、同軸線に実質上沿って上記細長い部材が延び、上記アンカー部材は、同アンカー部材が実質上単一の平面内で当該レシーバ部材に関して枢動できるように、該レシーバ部材に関して位置決めされ、上記平面が上記チャンネルの軸線を実質上収容するものであることを特徴とする請求項１に記載の装置。
【請求項１２】
上記レシーバ部材のチャンネルが軸線を有し、同軸線に実質上沿って上記細長い部材が延び、上記アンカー部材は、同アンカー部材が実質上単一の平面内で当該レシーバ部材に関して枢動できるように、該レシーバ部材に関して位置決めされ、上記平面が上記チャンネルの軸線に実質上垂直なものであることを特徴とする請求項１に記載の装置。
【請求項１３】
上記レシーバ部材のチャンネルが軸線を有し、同軸線に実質上沿って上記細長い部材が延び、上記アンカー部材は、同アンカー部材が実質上単一の平面内で当該レシーバ部材に関して枢動できるように、該レシーバ部材に関して位置決めされ、上記平面が上記チャンネルの軸線に対して実質上傾斜するものであることを特徴とする請求項１に記載の装置。
【請求項１４】
整形外科医療装置において、
少なくとも１つの実質上平坦な壁を備えた内部室を有するレシーバ部材；
上記室内に少なくとも部分的に位置するクラウン部材；及び
長手方向の軸線と、少なくとも１つの実質上平坦な壁を備えたヘッド部分とを有する骨アンカー部材であって、上記ヘッド部分が上記クラウン部材に隣接しており、上記アンカー部材の上記壁が上記長手方向の軸線及び上記レシーバ部材の上記壁に実質上平行であるようなアンカー部材；
を有し、上記アンカー部材が単一の平面内で上記レシーバ部材に関して枢動できることを特徴とする装置。
【請求項１５】
上記室が互いに実質上平行な２つの実質上平坦な壁を有し、上記ヘッド部分が互いに実質上平行な２つの実質上平坦な壁を有することを特徴とする請求項１４に記載の装置。
【請求項１６】
上記レシーバ部材に接続された細長い部材を更に有し、同細長い部材が上記アンカー部材に接触しないことを特徴とする請求項１４に記載の装置。
【請求項１７】
上記レシーバ部材の上記平坦な壁は、上記平面が当該レシーバ部材内の上記細長い部材の部分を実質上収容するものとなるように、位置決めされることを特徴とする請求項１６に記載の装置。
【請求項１８】
上記レシーバ部材の上記平坦な壁は、上記平面が当該レシーバ部材内の上記細長い部材の部分に実質上垂直なものとなるように、位置決めされることを特徴とする請求項１７に記載の装置。
【請求項１９】
上記室の上記壁が細長い凹状部分を有し、上記クラウン部材が同クラウン部材の上記壁から延びる突起を有し、同突起が上記凹状部分内に摺動嵌合することを特徴とする請求項１４に記載の装置。
【請求項２０】
上記クラウン部材が上記室の上記壁に隣接する少なくとも１つの実質上平坦な壁を有することを特徴とする請求項１４に記載の装置。
【請求項２１】
上記装置が体内に移植されたとき、上記平面が実質上サジタル面となることを特徴とする請求項１４に記載の装置。
【請求項２２】
上記装置が体内に移植されたとき、上記平面が実質上横断方向の面となることを特徴とする請求項１４に記載の装置。
【請求項２３】
上記装置が体内に移植されたとき、上記平面がサジタル面と横断方向の面との間に実質上位置することを特徴とする請求項１４に記載の装置。
【請求項２４】
医療移植片装置において、
長手方向の軸線を有するレシーバ部材であって、上方の開口部分及び下方の開口部分と、上記上方の開口部分に対して横断方向にあり同開口部分に連通するチャンネルと、上記部材内にあり、上記軸線に実質上垂直な内部溝とを画定するようなレシーバ部材；
長手方向の軸線及び外側寸法を備えたヘッド部分と、少なくとも１つの実質上平坦な壁とを有する骨アンカー部材であって、同アンカー部材の上記壁が上記軸線に実質上平行であるような骨アンカー部材；及び
上記ヘッドの上記外側寸法よりも小さい内側寸法を有し、上記溝の少なくとも一部を占める実質上平坦な保持部材；
を有することを特徴とする装置。
【請求項２５】
上記レシーバ部材が上記アンカー部材の上記壁に平行な平坦な壁を有し、当該レシーバ部材の上記壁が該レシーバ部材の上記軸線に実質上平行であることを特徴とする請求項２４に記載の装置。
【請求項２６】
上記保持部材が少なくとも部分的に実質上卵形の外側寸法を有し、上記溝が少なくとも部分的に実質上卵形の寸法を有し、それによって、当該溝内での当該保持部材の相対運動が実質上制限されることを特徴とする請求項２４に記載の装置。
【請求項２７】
上記保持部材が実質上平坦か又はうねっていることを特徴とする請求項２４に記載の装置。
【請求項２８】
上記ヘッド部分が互いに実質上平行な２つの実質上平坦な壁を有することを特徴とする請求項２４に記載の装置。
【請求項２９】
上記レシーバ部材内に受け入れられた細長い部材と；
上記レシーバ部材に接続され、上記細長い部材に接触する圧縮部材と；
を更に有することを特徴とする請求項２４に記載の装置。
【請求項３０】
医療移植片装置において、
長手方向の軸線を有し、上方の部分と、中間の薄い部分と、下方の部分と、上記軸線に対して横断方向で細長い部材を受け入れるようになったチャンネルとを画定するレシーバ部材；及び
上記レシーバ部材に接続された骨アンカー部材；
を有し、上記上方の部分が実質上上記中間の部分において上記下方の部分から取り外しできることを特徴とする装置。
【請求項３１】
細長い部材の実質上すべてが上記中間の部分の下方になるように、上記レシーバ部材の上記チャンネル内に受け入れられた上記細長い部材を更に有することを特徴とする請求項３０に記載の装置。
【請求項３２】
上記上方の部分が第１の高さを有し、上記下方の部分が第２の高さを有し、上記第１の高さが上記第２の高さより小さいか又はそれに等しいことを特徴とする請求項３０に記載の装置。
【請求項３３】
上記レシーバ部材内に少なくとも部分的に位置するクラウン部材；及び
長手方向の軸線と、少なくとも１つの実質上平坦な壁を備えたヘッド部分とを有する骨アンカー部材であって、上記ヘッド部分が上記クラウン部材に隣接しており、上記アンカー部材の上記壁が上記長手方向の軸線に実質上平行になっているような骨アンカー部材；
を更に有し、上記アンカー部材が単一の平面内で上記レシーバ部材に関して枢動できることを特徴とする請求項３０に記載の装置。
【請求項３４】
上記レシーバ部材が溝を有し；同溝内に少なくとも部分的に位置する保持部材を更に有し；上記アンカー部材の上記ヘッドが上記クラウン部材と上記保持部材との間にあることを特徴とする請求項３３に記載の装置。